(57)【要約】  移動式手洗いシステム（１００）には、石鹸ディスペンサ（８０）と、石鹸ディスペンサ（８０）およびウォーターボトル（５０）の両方に適合するように構造化された蓋（６０）と、が含まれる。第１の実施形態では、ウォーターボトル（５０）は、蓋（６０）にねじ込まれる剛性のウォーターボトルである。石鹸ディスペンサ（８０）には、リザーバ（８３）上に雄ねじ切り（８７）が含まれ、蓋（６０）にもねじ込まれる。第２の実施形態では、移動式手洗いシステムは、プラスチックの使い捨てウォーターボトルに取り付けられ、石鹸ディスペンサも含む。いずれの実施形態においても、システム（２００）は、水を飲むために使用することができ、また、手洗いなどのために石鹸および水を提供するために別々に使用することができる。【選択図】図１
2021536341.tif 000002
【特許請求の範囲】
【請求項１】
石鹸ディスペンサと、前記石鹸ディスペンサとウォーターボトルの両方に適合するように構造化された蓋と、を含む、移動式手洗いシステム。
【請求項２】
前記蓋が前記ウォーターボトルと液体連通した開口部を含む、請求項１に記載の移動式手洗いシステム。
【請求項３】
前記石鹸ディスペンサがポンプを使用して石鹸を分注する、請求項２に記載の移動式手洗いシステム。
【請求項４】
前記石鹸が発泡石鹸である、請求項３に記載の移動式手洗いシステム。
【請求項５】
前記石鹸ディスペンサが、リザーバと液体連通したポンプを含む、請求項２に記載の移動式手洗いシステム。
【請求項６】
前記リザーバが前記ポンプから取り外し可能であり、前記リザーバを再充填することを可能にする、請求項５に記載の移動式手洗いシステム。
【請求項７】
前記蓋が、第１のねじ切りおよび第２のねじ切りを含み、前記第１のねじ切りが前記ウォーターボトルのねじ切りと相補的であり、前記第２のねじ切りが、前記リザーバと相補的である、請求項６に記載の移動式手洗いシステム。
【請求項８】
前記リザーバが、前記リザーバのねじを緩めて前記蓋から外すことによって前記ポンプから取り外し可能である、請求項７に記載の移動式手洗いシステム。
【請求項９】
前記ウォーターボトルの容量が、前記リザーバの容量よりも数倍大きい、請求項１に記載の移動式手洗いシステム。
【請求項１０】
前記ウォーターボトルが使い捨てのプラスチックウォーターボトルである、請求項１に記載の移動式手洗いシステム。
【請求項１１】
前記ウォーターボトルが剛性のウォーターボトルである、請求項１に記載の移動式手洗いシステム。
【請求項１２】
前記ウォーターボトルが金属製である、請求項１１に記載の移動式手洗いシステム。
【請求項１３】
前記ウォーターボトルが約３５ｍｍ以下の内形を有する上部開口部を有する、請求項１に記載の移動式手洗いシステム。
【請求項１４】
前記ウォーターボトルが約１００ｍｍより大きい内形を有する上部開口部を有する、請求項１に記載の移動式手洗いシステム。
【請求項１５】
石鹸ディスペンサと、ウォーターボトルと、前記石鹸ディスペンサと前記ウォーターボトルの両方に適合するように構造化された蓋と、を含む、移動式手洗いシステムを使用する手洗いの方法であって、前記石鹸ディスペンサから人の少なくとも片方の手に前記石鹸を分注することと、前記人の両方の手をこすり合わせることと、すすぎの目的で、前記ボトルウォーターから開口部を通して前記人の手に水を注ぐことと、を含む、手洗いの方法。
【請求項１６】
前記分注された石鹸が発泡石鹸である、請求項１５に記載の手洗いの方法。
【発明の詳細な説明】
【技術分野】
【０００１】
関連出願の相互参照
本出願は、２０１８年５月８日に出願された米国仮出願第６２／７６２，５５３号、および２０１８年８月２４日に出願された米国仮出願第６２／７６５，４２４号の権益を主張し、それらの主題は参照により本願に組み込まれる。
【０００２】
本開示は、概して、個人の衛生状態を支援するためのデバイス、より具体的には、移動式手洗いシステムに関する。
【背景技術】
【０００３】
動物園または公園などの公共エリアにいるときの活動的な個人または活動的な家族はしばしば、必要に応じて石鹸および水で手を正しく洗うための限られた資源および機会のみを有する。石鹸と水がすぐに手に入らない場合は、手洗いを避けるか遅らせる場合がある。可能なら手指消毒剤、ワイプ、または水だけを代わりに使用できるが、ＣＤＣなどの公衆衛生当局は石鹸と水を使用して手を洗うことを推奨する。ほとんどの場合、有害な微生物の数を減らすための最良の方法であるためである。消毒剤は、ＣＤＣによって手洗いに対する「補助的なものい（ｓｕｐｐｌｅｍｅｎｔ）」であるとみなされており、特定の種類の微生物を殺傷するのに常に効果的であるとは限らない。さらに、手洗いのこれらの代替的な方法は、特に子供の場合や屋外環境で発生する可能性があるように、手が汚れていて脂っこい場合、石鹸と水よりも効果が低くなる。
【発明の概要】
【０００４】
移動式手洗いシステムには、石鹸ディスペンサと、石鹸ディスペンサおよびウォーターボトルの両方に適合するように構造化された蓋と、が含まれる。第１の実施形態では、ウォーターボトルは、蓋にねじ込まれる剛性のウォーターボトルである。石鹸ディスペンサには、リザーバ上に雄ねじ切りが含まれ、蓋にもねじ込まれる。第２の実施形態では、移動式手洗いシステムは、プラスチックの使い捨てウォーターボトルに取り付けられ、石鹸ディスペンサも含む。いずれの実施形態においても、システムは、水を飲むために使用することができ、また、手洗いなどのために石鹸および水を提供するために別々に使用することができる。
【図面の簡単な説明】
【０００５】
【図１】本開示の第１の実施形態による、移動式手洗いシステムの斜視図を示す。
【図２Ａ】本開示の第１の実施形態による、移動式手洗いシステムと組み合わせて使用可能な蓋の底面斜視図を示す。
【図２Ｂ】本開示の第１の実施形態による、移動式手洗いシステムと組み合わせて使用可能な蓋の上面斜視図を示す。
【図３】本開示の第１の実施形態による、移動式手洗いシステムの分解立体図を示す。
【図４】本開示の第１の実施形態による、移動式手洗いシステムの石鹸ディスペンサの分解立体図を示す。
【図５】本開示の第２の実施形態による、移動式手洗いシステムの斜視図を示す。
【図６】本開示の第２の実施形態による、移動式手洗いシステムの別の斜視図を示す。
【図７】本開示の第２の実施形態による、移動式手洗いシステムの断面図を示す。
【図８】本開示の第２の実施形態による、移動式手洗いシステムの石鹸ディスペンサの斜視図を示す。
【発明を実施するための形態】
【０００６】
本開示の例示的な実施形態は、添付の図面を参照して以下により完全に説明され、例示的な実施形態が示される。しかしながら、本明細書で論じられる概念は、多くの異なる形態で具体化され得るものであり、本明細書に記載される例示的な実施形態に限定されると解釈されるべきではない。むしろ、これらの実施形態は、本開示が完璧かつ完全であり、その範囲を当業者に完全に伝えるように提供される。同様の番号は同様の要素を指すが、必ずしも全体を通して同じまたは同一の要素である必要はない。
【０００７】
図１を参照すると、本開示の第１の実施形態による、移動式手洗いシステム１００の斜視図が示される。移動式手洗いシステム１００は、ウォーターボトル５０と、石鹸ディスペンサ８０と、蓋６０と、を含む。ウォーターボトル５０は、好ましくは、金属（例えば、ステンレス鋼）または硬質プラスチックなどの剛性材料で作られ、好ましくは、他の容量で十分であり得るが、少なくとも４７３．１７６ミリリットル（１６オンス）の水を保持することができる。蓋６０は、成形された硬質プラスチック、金属、または別の適切な耐久性のある材料で作ることができる。蓋６０は、泡立てた後に手をすすぐために水を注ぐことができるすすぎ注ぎ口６２を覆うキャップ６１を含む（図３）。すすぎ注ぎ口６２から注がれる水は、導管６５を通過して外に出る。ユーザはまた、すすぎ注ぎ口６２を蓋からねじを緩めて外して飲用注ぎ口６４を露出させることにより、飲用に水を注ぐことができる。飲用注ぎ口６４は、すすぎ注ぎ口６２よりも大きな径を有するので、水は、飲用注ぎ口６４からより速い速度で注がれる。さらに、飲用注ぎ口６４とすすぎ注ぎ口６２が分離されているので、ユーザは、手洗いプロセスによる汚染について心配する必要がない。また、持ち運びを容易にするためのハンドル６６と、キャップ６１を蓋６０に接続するためのテザー６３も示されている。本開示の重要な態様は、蓋６０が、ウォーターボトル５０と石鹸ディスペンサ８０の両方に適合することができるように構造化されていることである。この配置により、ユーザは喉が渇いたときに水を飲むことができ、また、手洗いなどのために石鹸と水を別々に提供することができる。
【０００８】
図２Ａは、蓋６０の上面斜視図を示す。この図から、ポンプヘッド８２およびテザー６３の蓋６０への取り付けをより明確に見ることができる。しかしながら、テザー６３およびキャップ６３を含めることは必須ではないことを理解されたい。さらに、各図面に示されているデザインの特定の装飾的態様は、限定することを意味するものではないことを理解されたい。
【０００９】
図２Ｂは、蓋６０の底面斜視図を示す。図２Ｂに示されるように、蓋底部６９は、第１の蓋ねじ切り６７Ｂを有する第１の蓋開口部６７Ａと、第２の蓋ねじ切り６８Ｂを有する第２の蓋開口部６８Ａとを含む。
【００１０】
図３は、移動式手洗いシステム１００の分解立体図を示す。第１のウォーターボトルねじ切り５４が第１の蓋ねじ切り６７Ａと相補的である限り、第１の蓋開口部６７Ａがウォーターボトル上部開口部５５と整列するように、ウォーターボトル５０を蓋６０に取り付ける（ねじ込む）ことができる。
【００１１】
図４は、石鹸ディスペンサ８０の分解立体図を示す。石鹸ディスペンサ８０は、ハンドポンプ８９を含む。当該技術分野で知られているように、ユーザが図示のようなポンプを押すと、液体を引き出すことができる。図示の実施形態では、ポンプヘッド８６を押すと、ある量の石鹸が、石鹸リザーバ８３から石鹸ディスペンサディップチューブ８８を通って、ポンプヘッド８６のポンプ上部開口部８４から引き出される。好ましくは、リザーバ８３内の石鹸は発泡石鹸であるが、他の種類の液体石鹸でも十分であり得る。ウォーターボトル５０の容量は、リザーバ８３の容量よりも数倍大きいことを理解されたい。さらに、好ましくは、リザーバ８３は、リザーバ８３のねじを緩めて外すことによって再充填することができるように、取り外すことができる。リザーバねじ切り８７は、第２の蓋ねじ切り６８Ｂと相補的であり、リザーバ８３を蓋６０上にねじ込む（および蓋から外す）ことを可能にする。ハンドポンプ８９は、ハンドポンプ８９の大部分がリザーバ８３内に位置するように、リザーバ８３に挿入することができる。好ましい実施形態では、リザーバ８３は、ユーザによって石鹸で再充填することができる。他の実施形態では、リザーバ８３は再充填可能ではない。
【００１２】
図５を参照すると、本開示の第２の実施形態による、移動式手洗いシステム２００の斜視図が示される。移動式手洗いシステム２００は、概念的には移動式手洗いシステム１００に類似しているが、主な違いは、移動式手洗いシステム２００が使い捨てのウォーターボトル（一般にプラスチック製で１回限りの使用を意図する）に適合することである。示されるように、移動式手洗いシステム２００は、使い捨てのプラスチックウォーターボトルに適合するボトル上部コネクタ９４に対して鋭角（例えば、約４５度）で石鹸ディスペンサ７０を保持することができる本体９０を含む。このようなプラスチックウォーターボトルには、典型的には、約３５４．８８２〜７０９．７６５ミリリットル（１２〜２４オンス）の水が含まれており、約３５ｍｍ以下の外径を有する上部開口部を有する。このようなペットボトルの例としては、Ａｒｒｏｗｈｅａｄ、Ａｑｕａｆｉｎａ、Ｅｖｉａｎ、Ｄａｓａｎｉ、およびＰｏｌａｎｄ  Ｓｐｒｉｎｇｓからのボトル入り飲料水が挙げられる。使用されるボトル上部が上部コネクタ９４にぴったりと適合する限り、他のサイズのボトルを使用することができることを理解されたい。したがって、上部コネクタ９４の内径３０は、それに応じたサイズとされることをさらに理解されたい。
【００１３】
図６は、移動式手洗いシステム２００の別の斜視図を示す。この図では、本体開口部９２が示されている。本体開口部９２は、移動式手洗いシステム２００が使用される場合、取り付けられたウォーターボトルまで延在し、ウォーターボトルに含まれる水と液体連通しており、そのような水は、取り付けられたウォーターボトルから開口部を通って流れることができる。
【００１４】
図７は、移動式手洗いシステム２００の断面図を示す。示されるように、本体９０は、石鹸ディスペンサ７０にぴったりと適合するサイズの本体空洞９６を含む。好ましい実施形態では、石鹸ディスペンサ７０は、再充填または交換されるように、本体空洞９６から引き抜くことができる。他の実施形態では、石鹸ディスペンサ７０は再充填可能ではない。
【００１５】
図８は、石鹸ディスペンサ７０の斜視図を示す。石鹸ディスペンサ７０は、それに取り付けられたリザーバ７８を含む。リザーバ７８は、他の種類の液体石鹸などでも十分であり得るが、液体石鹸、好ましくは発泡石鹸で満たすことができる。石鹸ディスペンサ７０は、ポンプヘッド７６を押すことによって石鹸をリザーバ７８から引き出すことができるようなハンドポンプであり得る。
【００１６】
動作中、手洗いの方法は、移動式手洗いシステム（すなわち、移動式手洗いシステム１００または移動式手洗いシステム２００）を提供することと、石鹸ディスペンサから人の少なくとも片方の手に石鹸を分注することと、人の手をこすり合わせることと、すすぎの目的で、ボトルウォーターから開口部を通して人の手に水を注ぐことと、を含む。
【００１７】
特徴、機能、構成要素、および部品は、本開示の教示に従って本明細書に記載されているが、この特許の適用範囲はこれに限定されない。それどころか、この特許は、許容される均等物の範囲内に適正に入る本開示の教示のすべての実施形態を包含している。
【００１８】
本明細書に記載の開示の多くの修正および他の実施は、前述の説明および関連する図面に提示された教示の利益を有することは明らかであろう。したがって、本開示は開示された特定の実施に限定されるべきではなく、修正および他の実施は添付の特許請求の範囲内に含まれることが意図されることを理解されたい。本明細書では特定の用語が使用されているが、それらは一般的かつ説明的な意味でのみ使用されており、限定を目的としていない。
【図１】
2021536341.tif 000003
【図２Ａ】
2021536341.tif 000004
【図２Ｂ】
2021536341.tif 000005
【図３】
2021536341.tif 000006
【図４】
2021536341.tif 000007
【図５】
2021536341.tif 000008
【図６】
2021536341.tif 000009
【図７】
2021536341.tif 000010
【図８】
2021536341.tif 000011
【国際調査報告】
2021536341.tif 000012